(57)【要約】【課題】  好ましいレッドの色相を有し、耐湿性に優れる画像を記録可能なレッドインクの提供。【解決手段】  第１の色材及び第２の色材を含有するレッドインクであって、第１の色材及び第２の色材がそれぞれ特定の構造を有する化合物であり、インク全質量を基準とした、前記第１の色材の含有量（質量％）が、前記第２の色材の含有量（質量％）に対する質量比率で、２．０倍以上１０．０倍以下であることを特徴とするレッドインク。【選択図】  なし【特許請求の範囲】
【請求項１】
第１の色材及び第２の色材を含有するレッドインクであって、
前記第１の色材が、下記式（１）で表される化合物であり、
前記第２の色材が、下記式（２）で表される化合物、下記式（３）で表される化合物、下記式（４）で表される化合物、及び、下記式（５）で表される化合物からなる群より選ばれる少なくとも１種であり、
インク全質量を基準とした、前記第１の色材の含有量（質量％）が、前記第２の色材の含有量（質量％）に対する質量比率で、２．０倍以上１０．０倍以下であることを特徴とするレッドインク。
【化１】
2015086269.tif 000029
（式（１）中、Ｒ１は、それぞれ独立に、水素原子、アルキル基、ヒドロキシアルキル基、シクロアルキル基、モノアルキルアミノアルキル基、又はジアルキルアミノアルキル基を表し、Ｍは、それぞれ独立に、水素原子、アルカリ金属、アンモニウム、又は有機アンモニウムを表し、Ｒ２は、それぞれ独立に、下記式（ｉ）乃至（ｉｉｉ）のいずれかで表される基を表す。）
【化２】
2015086269.tif 000030
（式（ｉ）及び（ｉｉ）中、Ｍは、それぞれ独立に、水素原子、アルカリ金属、アンモニウム、又は有機アンモニウムを表す。式（ｉｉｉ）中、Ｒ３は、水素原子、アルキル基、又はアルコキシ基を表す。）
【化３】
2015086269.tif 000031
（式（２）におけるＲ４、式（３）におけるＲ６、式（４）におけるＲ１０は、それぞれ独立に、ハロゲン原子、アルキル基、シクロアルキル基、アラルキル基、アルケニル基、アルキニル基、アリール基、ヘテロ環基、シアノ基、ヒドロキシ基、ニトロ基、カルボキシ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基、アニリノ基、アシルアミノ基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、メルカプト基、アルキルチオ基、アリールチオ基、ヘテロ環チオ基、スルファモイル基、スルホ基、アルキルスルフィニル基、アリールスルフィニル基、アルキルスルホニル基、アリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、又はシリル基を表す。式（２）におけるＲ５は、それぞれ独立に、２以上のカルボキシ基が置換した、ヘテロ環基、又はアリール基を表す。式（３）におけるＲ７は、それぞれ独立に、２以上のカルボキシ基が置換した、アルキル基、アルケニル基、アミノ基、アシルアミノ基、アミノカルボニルアミノ基、アルコキシカルボニルアミノ基、スルファモイルアミノ基、アシル基、カルバモイル基、イミド基、ホスフィノ基、ホスフィニルアミノ基、シリル基、ヘテロ環基、又はアリール基を表す。式（３）におけるＲ８、式（４）におけるＲ１２は、それぞれ独立に、アルキレン基、アルケニレン基、アルキニレン基、２価のヘテロ環基、−Ｏ−、−ＣＯ−、−ＮＲ９−〔Ｒ９は水素原子、アルキル基、又はアリール基を表す〕、−Ｓ−、−ＳＯ２−、−ＳＯ−、又はこれらの組み合わせより選択される２価の連結基を表す。式（４）におけるＲ１１は、それぞれ独立に、２以上のカルボキシ基が置換した、ヘテロ環基又はアリール基を表す。式（５）におけるＲ１４は、それぞれ独立に、２以上のカルボキシ基が置換したアリール基を表す。）
【請求項２】
インク全質量を基準とした、前記第１の色材の含有量（質量％）が、前記第２の色材の含有量（質量％）に対する質量比率で、２．０倍以上４．０倍以下である請求項１に記載のレッドインク。
【請求項３】
前記第２の色材が、前記式（２）で表される化合物、前記式（３）で表される化合物、及び、前記式（４）で表される化合物からなる群より選ばれる少なくとも１種である請求項１又は２に記載のレッドインク。
【請求項４】
前記第２の色材が、下記式（２ａ）で表される化合物、下記式（３ａ）で表される化合物、及び、下記式（４ａ）で表される化合物からなる群から選ばれる少なくとも１種である請求項１又は２に記載のレッドインク。
【化４】
2015086269.tif 000032
（式（２ａ）におけるＲ４、式（３ａ）におけるＲ６、式（４ａ）におけるＲ１０は、それぞれ、式（２）におけるＲ４、式（３）におけるＲ６、式（４）におけるＲ１０と同義である。式（３ａ）におけるＲ８、式（４ａ）におけるＲ１２は、それぞれ、式（２）におけるＲ８、式（３）におけるＲ１２と同義である。式（２ａ）、式（３ａ）、式（４ａ）におけるＭは、それぞれ独立に、水素原子、アルカリ金属、アンモニウム、又は有機アンモニウムを表す。）
【請求項５】
インクと、前記インクを収容するインク収容部とを備えたインクカートリッジであって、
前記インクが、請求項１乃至４のいずれか１項に記載のレッドインクであることを特徴とするインクカートリッジ。
【請求項６】
インクをインクジェット方式の記録ヘッドから吐出して記録媒体に画像を記録するインクジェット記録方法であって、
前記インクが、請求項１乃至４のいずれか１項に記載のレッドインクであることを特徴とするインクジェット記録方法。
【発明の詳細な説明】
【技術分野】
【０００１】
本発明は、レッドインク、インクカートリッジ、及びインクジェット記録方法に関する。
【背景技術】
【０００２】
インクジェット記録方法における高画質化の手段のひとつとして、シアン、マゼンタ、イエロー、ブラックの基本色のインクの他に、レッド、グリーン、ブルーなどのいわゆる特色インクを使用することが挙げられる。近年、このような特色インクについても基本色インクと同様に、これまで以上に得られる画像の発色性や、耐湿性などの画像保存性を向上することが要求されている。画像特性を向上するためのひとつの手法として、インクに含有させる染料の発色性及び堅牢性の向上があり、このような特性を有する染料についての提案がある。特色インクの中でもレッドインクについては、Ｃ．Ｉ．フードイエロー３などのレッド染料を含有するものや、マゼンタ染料及びイエロー染料を併用するものについての提案がある（特許文献１及び２参照）。
【先行技術文献】
【特許文献】
【０００３】
【特許文献１】特開２００５−０８９７３７号公報
【特許文献２】特開２０１２−１９３３１０号公報
【発明の概要】
【発明が解決しようとする課題】
【０００４】
近年では、インクジェット記録方法により得られる画像について、今まで以上に高いレベルの性能を達成することが要求されている。その中でも、画像の耐湿性の向上、すなわち、環境中の水分によって変色や滲みが生じないようにすることは、画像の見た目の色の変化を抑制するために重要である。そこで、本発明者らは、上記で挙げたような従来の技術について検討を行った。しかし、高画質化のために重要である特色インク、その中でもレッドインクについては、近年要求されるレベルの画像の耐湿性を達成することができていないことがわかった。
【０００５】
したがって、本発明の目的は、好ましいレッドの色相を有し、耐湿性に優れる画像を記録可能なレッドインクを提供することにある。また、本発明の別の目的は、前記レッドインクを用いたインクカートリッジ、及びインクジェット記録方法を提供することにある。
【課題を解決するための手段】
【０００６】
上記の目的は、以下の本発明によって達成される。すなわち、本発明にかかるレッドインクは、  第１の色材及び第２の色材を含有するレッドインクであって、前記第１の色材が、下記式（１）で表される化合物であり、前記第２の色材が、下記式（２）で表される化合物、下記式（３）で表される化合物、下記式（４）で表される化合物、及び、下記式（５）で表される化合物からなる群より選ばれる少なくとも１種であり、インク全質量を基準とした、前記第１の色材の含有量（質量％）が、前記第２の色材の含有量（質量％）に対する質量比率で、２．０倍以上１０．０倍以下であることを特徴とする。
【０００７】
【化１】
2015086269.tif 000002
【０００８】
（式（１）中、Ｒ１は、それぞれ独立に、水素原子、アルキル基、ヒドロキシアルキル基、シクロアルキル基、モノアルキルアミノアルキル基、又はジアルキルアミノアルキル基を表し、Ｍは、それぞれ独立に、水素原子、アルカリ金属、アンモニウム、又は有機アンモニウムを表し、Ｒ２は、それぞれ独立に、下記式（ｉ）乃至（ｉｉｉ）のいずれかで表される基を表す。）
【０００９】
【化２】
2015086269.tif 000003
【００１０】
（式（ｉ）及び（ｉｉ）中、Ｍは、それぞれ独立に、水素原子、アルカリ金属、アンモニウム、又は有機アンモニウムを表す。式（ｉｉｉ）中、Ｒ３は、水素原子、アルキル基、又はアルコキシ基を表す。）
【００１１】
【化３】
2015086269.tif 000004
【００１２】
（式（２）におけるＲ４、式（３）におけるＲ６、式（４）におけるＲ１０は、それぞれ独立に、ハロゲン原子、アルキル基、シクロアルキル基、アラルキル基、アルケニル基、アルキニル基、アリール基、ヘテロ環基、シアノ基、ヒドロキシ基、ニトロ基、カルボキシ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基、アニリノ基、アシルアミノ基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、メルカプト基、アルキルチオ基、アリールチオ基、ヘテロ環チオ基、スルファモイル基、スルホ基、アルキルスルフィニル基、アリールスルフィニル基、アルキルスルホニル基、アリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、又はシリル基を表す。式（２）におけるＲ５は、それぞれ独立に、２以上のカルボキシ基が置換した、ヘテロ環基、又はアリール基を表す。式（３）におけるＲ７は、それぞれ独立に、２以上のカルボキシ基が置換した、アルキル基、アルケニル基、アミノ基、アシルアミノ基、アミノカルボニルアミノ基、アルコキシカルボニルアミノ基、スルファモイルアミノ基、アシル基、カルバモイル基、イミド基、ホスフィノ基、ホスフィニルアミノ基、シリル基、ヘテロ環基、又はアリール基を表す。式（３）におけるＲ８、式（４）におけるＲ１２は、それぞれ独立に、アルキレン基、アルケニレン基、アルキニレン基、２価のヘテロ環基、−Ｏ−、−ＣＯ−、−ＮＲ９−〔Ｒ９は水素原子、アルキル基、又はアリール基を表す〕、−Ｓ−、−ＳＯ２−、−ＳＯ−、又はこれらの組み合わせより選択される２価の連結基を表す。式（４）におけるＲ１１は、それぞれ独立に、２以上のカルボキシ基が置換した、ヘテロ環基又はアリール基を表す。式（５）におけるＲ１４は、それぞれ独立に、２以上のカルボキシ基が置換したアリール基を表す。）
【発明の効果】
【００１３】
本発明によれば、好ましいレッドの色相を有し、耐湿性に優れる画像を記録可能なレッドインクを提供することができる。また、本発明によれば、前記レッドインクを用いたインクカートリッジ、及びインクジェット記録方法を提供することができる。
【発明を実施するための形態】
【００１４】
以下に、好ましい実施の形態を挙げて、さらに本発明を詳細に説明する。なお、本発明においては、化合物が塩である場合は、水性のインク中では塩はイオンに解離して存在しているが、便宜上、「塩を含有する」と表現することがある。また、レッドインクのことを、単に「インク」と記載することがある。
【００１５】
画像の耐湿性の低下は、高湿度の環境において記録媒体が空気中の水分を吸収し、この水分に溶解した色材が記録媒体内を移動することで発生する。そこで、本発明者らは、記録媒体内における色材の移動を抑制することについて検討を行った。その結果、後述する特定の構造を有する、第１の色材及び第２の色材を併用することで、耐湿性の低下が抑制されることを見出した。
【００１６】
第１の色材は、トリアジン環の置換基（式（１）におけるＲ２）に、カルボキシ基やスルホニル基が存在する。また、第２の色材は、トリアジン環の置換基としてヒドロキシ基やモルホリン構造を有し、かつ、分子中に２つ以上のカルボキシ基を有する。これらの基や構造はいずれも水素結合を形成する能力が高いため、第１の色材及び第２の色材の間で水素結合が形成されやすい。このように色材間で水素結合が形成されていると、記録媒体に吸収された水分と色材との間での水素結合は形成されづらく、色材の溶解が抑制されるため、耐湿性が向上すると考えられる。
【００１７】
ただし、本発明者らの検討の結果、第１の色材と第２の色材を使用する比率によっては、好ましいレッドの色相からずれてしまうことがわかった。このため、インク中の第１の色材の含有量（質量％）は、第２の色材の含有量（質量％）に対する質量比率で、２．０倍以上１０．０倍以下であることを要する。
【００１８】
＜レッドインク＞
以下、インクジェット用にも好適な、本発明のレッドインクについて詳細に説明する。本発明におけるレッドインクとは、インクの吸光度から求められる、色相角（Ｈ°）が、５°以上６５°以下の範囲内にあるものを指す。色相角（Ｈ°）は、５０°以上６５°以下の範囲内にあることが好ましい。インクの吸光度は、一般的な分光光度計により測定することができ、インクを質量基準で２，０００倍程度に水で希釈したサンプルを用いて測定することが好ましい。前記色相角（Ｈ°）は、ＣＩＥ  Ｌ＊Ｃ＊ｈ表色系におけるａ＊ｂ＊平面での色相角を意味し、以下の定義により算出される。
ａ＊≧０、ｂ＊≧０（第一象現）では、Ｈ°＝ｔａｎ−１（ｂ＊／ａ＊）
ａ＊≦０、ｂ＊≧０（第二象現）では、Ｈ°＝１８０＋ｔａｎ−１（ｂ＊／ａ＊）
ａ＊≦０、ｂ＊≦０（第三象現）では、Ｈ°＝１８０＋ｔａｎ−１（ｂ＊／ａ＊）
ａ＊≧０、ｂ＊≦０（第四象現）では、Ｈ°＝３６０＋ｔａｎ−１（ｂ＊／ａ＊）。
【００１９】
（第１の色材）
本発明のインクは、下記式（１）で表される化合物を第１の色材として含有する。この第１の色材はマゼンタ色を呈する水溶性の染料である。式（１）で表される化合物の各基の具体例や例示化合物、合成方法などは、特開２０１０−００６９６９号公報に詳細な記載がある。
【００２０】
【化４】
2015086269.tif 000005
【００２１】
（式（１）中、Ｒ１は、それぞれ独立に、水素原子、アルキル基、ヒドロキシアルキル基、シクロアルキル基、モノアルキルアミノアルキル基、又はジアルキルアミノアルキル基を表し、Ｍは、それぞれ独立に、水素原子、アルカリ金属、アンモニウム、又は有機アンモニウムを表し、Ｒ２は、それぞれ独立に、下記式（ｉ）乃至（ｉｉｉ）のいずれかで表される基を表す。）
【００２２】
【化５】
2015086269.tif 000006
【００２３】
（式（ｉ）及び（ｉｉ）中、Ｍは、それぞれ独立に、水素原子、アルカリ金属、アンモニウム、又は有機アンモニウムを表す。式（ｉｉｉ）中、Ｒ３は、水素原子、アルキル基、又はアルコキシ基を表す。）
【００２４】
式（ｉ）で表される基の具体例としては、カルボキシ基が置換した、１−ナフチルオキシ、２−ナフチルオキシが挙げられる。なかでも、２−ナフチルオキシが好ましい。カルボキシ基の置換位置は、酸素原子の置換位置を１位としたときに、５位、６位、７位、又は８位が好ましく、６位がさらに好ましい。式（ｉｉ）及び（ｉｉｉ）において、置換位置が特定されていない原子団の置換位置は、ベンゼン環における酸素原子の置換位置を１位としたときに、２位又は４位が好ましく、４位がさらに好ましい。式（ｉｉｉ）中のＲ３は、水素原子、アルキル基、又はアルコキシ基を表す。Ｒ３は、アルキル基又はアルコキシ基が好ましく、アルコキシ基がさらに好ましい。
【００２５】
式（１）中のＲ２は、下記式（ｉｖ）、下記式（ｖ）、又は下記式（ｖｉ）で表される基であることがさらに好ましい。
【００２６】
【化６】
2015086269.tif 000007
【００２７】
式（１）、式（ｉ）、式（ｉｉ）、式（ｉｖ）、及び式（ｖ）中のＭは、それぞれ独立に、水素原子、アルカリ金属、アンモニウム、又は有機アンモニウムを表す。アルカリ金属の具体例としては、リチウム、ナトリウム、及びカリウムなどが挙げられる。有機アンモニウムの具体例としては、アセトアミド、ベンズアミド、トリメチルアミノ、ブチルアミノ、ジエチルアミノ、フェニルアミノ、トリエタノールアミノなどが挙げられる。
【００２８】
式（１）で表される化合物の好適な具体例を遊離酸型として示すと、下記の例示化合物Ｍ１〜Ｍ３が挙げられる。勿論、式（１）で表される化合物は、式（１）の構造及びその定義に包含されるものであれば、下記の例示化合物に限られるものではない。本発明においては、下記の例示化合物の中でも例示化合物Ｍ１が好ましい。
【００２９】
【化７】
2015086269.tif 000008
【００３０】
【化８】
2015086269.tif 000009
【００３１】
【化９】
2015086269.tif 000010
【００３２】
（第２の色材）
本発明のインクは、式（２）で表される化合物、式（３）で表される化合物、式（４）で表される化合物、及び、式（５）で表される化合物からなる群より選ばれる少なくとも１種を第２の色材として含有する。これらの第２の色材はイエロー色を呈する水溶性の染料である。式（２）、式（３）、式（４）で表される化合物の各基の具体例や例示化合物、合成方法などは、特開２００６−０５７０７６号公報に詳細な記載がある。
【００３３】
【化１０】
2015086269.tif 000011
【００３４】
（式（２）におけるＲ４、式（３）におけるＲ６、式（４）におけるＲ１０は、それぞれ独立に、ハロゲン原子、アルキル基、シクロアルキル基、アラルキル基、アルケニル基、アルキニル基、アリール基、ヘテロ環基、シアノ基、ヒドロキシ基、ニトロ基、カルボキシ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ、アミノ基、アニリノ基、アシルアミノ基、アミノカルボニルアミノ基、アルコキシカルボニルアミノ基、アリールオキシカルボニルアミノ基、スルファモイルアミノ基、アルキルスルホニルアミノ基、アリールスルホニルアミノ基、メルカプト基、アルキルチオ基、アリールチオ基、ヘテロ環チオ基、スルファモイル基、スルホ基、アルキルスルフィニル基、アリールスルフィニル基、アルキルスルホニル基、アリールスルホニル基、アシル基、アリールオキシカルボニル基、アルコキシカルボニル基、カルバモイル基、イミド基、ホスフィノ基、ホスフィニル基、ホスフィニルオキシ基、ホスフィニルアミノ基、又はシリル基を表す。式（２）におけるＲ５は、それぞれ独立に、２以上のカルボキシ基が置換した、ヘテロ環基、又はアリール基を表す。式（３）におけるＲ７は、それぞれ独立に、２以上のカルボキシ基が置換した、アルキル基、アルケニル基、アミノ基、アシルアミノ基、アミノカルボニルアミノ基、アルコキシカルボニルアミノ基、スルファモイルアミノ基、アシル基、カルバモイル基、イミド基、ホスフィノ基、ホスフィニルアミノ基、シリル基、ヘテロ環基、又はアリール基を表す。式（３）におけるＲ８、式（４）におけるＲ１２は、それぞれ独立に、アルキレン基、アルケニレン基、アルキニレン基、２価のヘテロ環基、−Ｏ−、−ＣＯ−、−ＮＲ９−〔Ｒ９は水素原子、アルキル基、又はアリール基を表す〕、−Ｓ−、−ＳＯ２−、−ＳＯ−、又はこれらの組み合わせより選択される２価の連結基を表す。式（４）におけるＲ１１は、それぞれ独立に、２以上のカルボキシ基が置換した、ヘテロ環基又はアリール基を表す。式（５）におけるＲ１４は、それぞれ独立に、２以上のカルボキシ基が置換したアリール基を表す。）
第２の色材としては、式（２ａ）で表される化合物、式（３ａ）で表される化合物、及び、式（４ａ）で表される化合物からなる群から選ばれる少なくとも１種を用いることが好ましい。これらの化合物はいずれも分子の両末端にフタル酸構造を有し、合計で４つのカルボキシ基が存在する。このように多くのカルボキシ基を有する場合、第２の色材と第１の色材との間で水素結合がより効率良く形成されるため、記録媒体に吸収された水分と色材との間での水素結合はより形成されづらい。また、分子の両末端に存在するベンゼン環がカルボキシ基以外の置換基を有さない、つまり、フタル酸構造を有することで、それ以外の置換基を有する場合と比較すると、第１の色材との間に形成される水素結合がより強くなりやすい。これらの理由から、耐湿性がさらに向上すると考えられる。
【００３５】
第２の色材としては、式（２ａ）で表される化合物を用いることがさらに好ましい。他の第２の色材と比較すると、式（２ａ）で表される化合物は、水素結合を形成しやすい基であるヒドロキシ基がそれ以外の構造で保護されているような立体構造を取る。このため、式（２ａ）で表される化合物（第２の色材）と、第１の色材との間に一旦水素結合が形成されると、水分が近づいても色材間の水素結合が切れにくく、耐湿性が特に向上すると考えられる。
【００３６】
【化１１】
2015086269.tif 000012
【００３７】
（式（２ａ）におけるＲ４、式（３ａ）におけるＲ６、式（４ａ）におけるＲ１０は、それぞれ、式（２）におけるＲ４、式（３）におけるＲ６、式（４）におけるＲ１０と同義である。式（３ａ）におけるＲ８、式（４ａ）におけるＲ１２は、それぞれ、式（２）におけるＲ８、式（３）におけるＲ１２と同義である。式（２ａ）、式（３ａ）、式（４ａ）におけるＭは、それぞれ独立に、水素原子、アルカリ金属、アンモニウム、又は有機アンモニウムを表す。）
式（２ａ）、式（３ａ）、及び式（４ａ）中のＭは、それぞれ独立に、水素原子、アルカリ金属、アンモニウム、又は有機アンモニウムを表す。アルカリ金属の具体例としては、リチウム、ナトリウム、及びカリウムなどが挙げられる。有機アンモニウムの具体例としては、アセトアミド、ベンズアミド、トリメチルアミノ、ブチルアミノ、ジエチルアミノ、フェニルアミノ、トリエタノールアミノなどが挙げられる。
【００３８】
式（２）、（３）、（４）、（５）で表される化合物の好適な具体例を遊離酸型として示すと、下記の例示化合物Ｙ１〜Ｙ７が挙げられる。勿論、式（２）、（３）、（４）、（５）で表される化合物は、式（２）、（３）、（４）、（５）の構造及びその定義に包含されるものであれば、下記の例示化合物に限られるものではない。本発明においては、下記の例示化合物の中でも式（２ａ）、（２ｂ）、（２ｃ）の構造にそれぞれ包含される、例示化合物Ｙ２、Ｙ４、Ｙ６が好ましい。
【００３９】
【化１２】
2015086269.tif 000013
【００４０】
【化１３】
2015086269.tif 000014
【００４１】
【化１４】
2015086269.tif 000015
【００４２】
【化１５】
2015086269.tif 000016
【００４３】
【化１６】
2015086269.tif 000017
【００４４】
【化１７】
2015086269.tif 000018
【００４５】
【化１８】
2015086269.tif 000019
【００４６】
（色材の含有量）
インク中の第１の色材の含有量（質量％）は、インク全質量を基準として、０．１質量％以上１０．０質量％以下、さらには０．１質量％以上５．０質量％以下であることが好ましい。また、インク中の第２の色材の含有量（質量％）は、インク全質量を基準として、０．１質量％以上１０．０質量％以下、さらには０．１質量％以上５．０質量％以下であることが好ましい。また、インク中の色材の合計含有量（質量％）は、インク全質量を基準として、１．０質量％以上１０．０質量％以下であることが好ましく、１．０質量％以上６．０質量％以下であることが好ましい。合計含有量が１．０質量％未満であると、画像の発色性が十分に高いレベルで得られない場合があり、合計含有量が１０．０質量％を超えると、固着回復性などのインクジェット特性が十分に得られない場合がある。
【００４７】
上述の通り、インク中の第１の色材の含有量（質量％）は、第２の色材の含有量（質量％）に対する質量比率で、２．０倍以上１０．０倍以下であることを要し、２．０倍以上４．０倍以下であることが好ましい。質量比率がこの範囲内にあると、好ましいレッドの色相を満足することができる。なお、この場合の含有量は、インク全質量を基準とした値である。
【００４８】
（水性媒体）
本発明のインクには、水、又は水及び水溶性有機溶剤の混合溶媒である水性媒体を用いることができる。水は、脱イオン水（イオン交換水）を用いることが好ましい。インク中の水の含有量（質量％）は、インク全質量を基準として、１０．０質量％以上９０．０質量％以下であることが好ましい。
【００４９】
水溶性有機溶剤は、水溶性であれば特に制限はなく、アルコール、多価アルコール、ポリグリコール、グリコールエーテル、含窒素極性溶媒、含硫黄極性溶媒などを用いることができる。インク中の水溶性有機溶剤の含有量（質量％）は、インク全質量を基準として、５．０質量％以上９０．０質量％以下、さらには１０．０質量％以上５０．０質量％以下であることが好ましい。水溶性有機溶剤の含有量が上記した範囲を外れると、高いレベルのインクの吐出安定性が十分に得られない場合がある。
【００５０】
（その他の添加剤）
本発明のインクは、上記した成分以外にも必要に応じて、トリメチロールプロパン、トリメチロールエタンなどの多価アルコール類や、尿素、エチレン尿素などの尿素誘導体などの、常温で固体の水溶性有機化合物を含有してもよい。さらに、本発明のインクは、必要に応じて、界面活性剤、ｐＨ調整剤、防錆剤、防腐剤、防黴剤、酸化防止剤、還元防止剤、蒸発促進剤、キレート化剤、及び水溶性樹脂など、種々の添加剤を含有してもよい。
【００５１】
＜インクカートリッジ＞
本発明のインクカートリッジは、インクと、このインクを収容するインク収容部とを備える。そして、インク収容部に収容されているインクが、上記で説明した本発明のインクである。インクカートリッジの構造としては、インク収容部が、負圧によりインクを含浸した状態で保持する負圧発生部材を収容する負圧発生部材収容室と、負圧発生部材に含浸されない状態でインクを収容するインク収容室とで構成されるものが挙げられる。又は、このようなインク収容室を持たず、インクの全量を負圧発生部材に含浸させた状態で保持する構成や、負圧発生部材を持たず、インクの全量を負圧発生部材に含浸されない状態で収容する構成のインク収容部としてもよい。さらには、インク収容部と記録ヘッドとを有するように構成された形態のインクカートリッジとしてもよい。
【００５２】
＜インクジェット記録方法＞
本発明のインクジェット記録方法は、上記で説明した本発明のインクをインクジェット方式の記録ヘッドから吐出させて記録媒体に画像を記録する方法である。インクを吐出する方式としては、インクに力学的エネルギーを付与する方式や、インクに熱エネルギーを付与する方式が挙げられ、本発明においては、熱エネルギーを利用するインクジェット記録方法を採用することが特に好ましい。本発明のインクを用いること以外、インクジェット記録方法の工程は公知のものとすればよい。
【実施例】
【００５３】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００５４】
＜インクの調製＞
表１〜３の上段に示す各成分（単位：％）を混合し、十分に撹拌した後、ポアサイズ０．２０μｍのフィルターで加圧ろ過して各インクを調製した。全ての色材は常法によりイオン交換を行い、ナトリウム塩型として用いた。なお、表１〜３中の「アセチレノールＥ１００」はノニオン性界面活性剤（川研ファインケミカル製）の商品名である。また、表１〜３の下段には、インク中の、第１の色材の含有量（％）、第２の色材の含有量（％）、及び、第１の色材の含有量の、第２の色材の含有量に対する質量比率を「質量比率（倍）」として示した。
【００５５】
【表１】
2015086269.tif 000020
【００５６】
【表２】
2015086269.tif 000021
【００５７】
【表３】
2015086269.tif 000022
【００５８】
インクの調製に用いた比較化合物は、遊離酸型として以下の構造で示される化合物である。括弧内には化合物の記載がある特許文献を示す。
・比較化合物Ｍ１（国際公開２００８／０６６０６２号）
・比較化合物Ｍ２（特開２００３−１９２９３０号公報）
・比較化合物Ｍ３（特開２００６−１４３９８９号公報）
・比較化合物Ｍ４（特開２０１２−１９３３１０号公報）
・比較化合物Ｙ１（国際公開２００８／０５３７７６号）
【００５９】
【化１９】
2015086269.tif 000023
【００６０】
【化２０】
2015086269.tif 000024
【００６１】
【化２１】
2015086269.tif 000025
【００６２】
【化２２】
2015086269.tif 000026
【００６３】
【化２３】
2015086269.tif 000027
【００６４】
＜評価＞
本発明においては、下記の各評価項目における評価基準で「Ｃ」が許容できないレベル、「Ｂ」が許容できるレベル、「Ａ」が優れているレベル（及び「ＡＡ」が特に優れているレベル）とした。評価結果を表４に示す。
【００６５】
（色相）
上記で得られた各インクを、質量基準で２，０００倍程度に純水で希釈したサンプルについて、分光光度計（商品名「Ｕ−３３１０」、日立ハイテクノロジーズ製）を用いて吸光度を測定した。測定条件は、測定セル：１ｃｍ  石英セル、サンプリング間隔：０．１ｎｍ、スキャン速度：３０ｎｍ／分とした。測定した吸光度から、光源Ｄ６５、視野２°の条件で、Ｌ＊Ｃ＊ｈ表色系における色相角（Ｈ°）を算出し、以下の基準にしたがって色相角を評価した。
Ａ：Ｈ°が５０°以上６５°以下であった
Ｂ：Ｈ°が５°以上５０°未満であった
Ｃ：Ｈ°が５°未満であるか、又は、６５°超であった。
【００６６】
（耐湿性）
上記で得られた各インクをそれぞれインクカートリッジに充填し、熱エネルギーの作用により記録ヘッドからインクを吐出するインクジェット記録装置（商品名「ＰＩＸＵＳ  ｉＰ８６００」、キヤノン製）に搭載した。本実施例においては、１／６００インチ×１／６００インチの単位領域に１滴あたりの吐出量が２．５ｐＬであるインク滴を８滴付与して記録したベタ画像を「記録デューティが１００％である」と定義する。このインクジェット記録装置を用いて、温度２３℃、相対湿度５５％の環境で、記録媒体（商品名「キヤノン写真用紙・光沢  ゴールド  ＧＬ−１０１」、キヤノン製）に、記録デューティが１００％であるベタ画像を記録した記録物を作製した。得られた記録物は、温度２３℃、相対湿度５５％の環境で２４時間自然乾燥させた。
【００６７】
上記で得られた記録物におけるベタ画像のＬ１、ａ１及びｂ１を測定した（耐湿性試験前のＬａｂ値）。次いで、この記録物を温度３０℃、相対湿度８０％に設定した恒温槽中に３週間載置した。その後、記録物におけるベタ画像のＬ２、ａ２及びｂ２を測定した（耐湿性試験後のＬａｂ値）。画像の測色には、分光光度計（商品名「Ｓｐｅｃｔｒｏｌｉｎｏ」、Ｇｒｅｔａｇ  Ｍａｃｂｅｔｈ製）を用い、光源：Ｄ５０、視野：２°の条件で、ＣＩＥ（国際照明委員会）により規定されたＬ＊ａ＊ｂ＊表示系におけるＬ＊、ａ＊、ｂ＊を測定した。得られた耐湿性試験前のＬａｂ値及び耐湿性試験後のＬａｂ値から、ΔＥ（色差）＝｛（Ｌ１−Ｌ２）２＋（ａ１−ａ２）２＋（ｂ１−ｂ２）２｝１／２を算出し、以下に示す評価基準にしたがって耐湿性を評価した。ΔＥが小さい場合、高湿度の環境においても画像の変色や滲みが生じにくいことを意味する。
ＡＡ：ΔＥが３．０以下であった
Ａ：ΔＥが３．０を超えて５．０以下であった
Ｂ：ΔＥが５．０を超えて１０．０以下であった
Ｃ：ΔＥが１０．０を超えていた。
【００６８】
【表４】
2015086269.tif 000028